(57)【要約】【課題】録画中の番組の受信中に受信不良が発生した場合にも受信不良の影響なく全番組内容の視聴を可能となる放送受信装置を提案する。【解決手段】録画を行った番組の受信中に受信不良が発生した場合に、受信不良の発生を自動的に検出し、受信不良発生の時間や受信不良の影響を受けた番組内容を示す受信不良個所情報を作成し、作成した受信不良個所情報をネットワーク経由でサーバーに送信し、受信不良部分を復旧する復旧情報を取得することで、録画中の放送電波受信不良で録画内容に受信不良部分の影響なく全番組内容を視聴することが可能となる。【選択図】  図５
2004274561.tif 000002
【特許請求の範囲】
【請求項１】
放送信号を受信する受信手段と、受信した放送信号から番組情報を取得する情報取得手段と、受信した放送信号を記録する記憶装置と、受信した放送信号を記録するための記録手段と、外部と通信を行う通信制御部と、受信状態を判定する受信判定手段と、前述の各手段をコントロールするＣＰＵとを備えた放送受信装置であって、前記受信判定手段により受信状態が悪いと判定された時に、番組内容の記録を開始した時刻・記録終了した時刻・前記受信手段により受信した番組識別番号・番組記録情報の情報を含む受信不良個所情報を作成する受信不良個所情報作成手段を備えることを特徴とする放送受信装置。
【請求項２】
前記受信判定手段は、前記受信手段によりデジタル放送を受信した時に、デジタル放送の放送電波をトランスポート信号に変換する際に発生するデータ誤り量から受信手段の放送電波受信状態を分析する受信判定手段をさらに備えることを特徴とする請求項１に記載のデジタル放送受信装置。
【請求項３】
前記受信不良個所情報を前記通信制御部を経由してサーバーへ通知する受信不良個所情報送信手段をさらに備えることを特徴とする請求項１あるいは請求項２に記載の放送受信装置。
【請求項４】
前記受信不良個所情報の送信に対応してサーバーから返信される受信不良個所復旧情報を受信し、受信不良個所復旧情報を解釈して前記記憶手段の所定のアドレスへ受信不良個所復旧情報を記録する受信不良個所復旧手段を備えることを特徴とする請求項３に記載の放送受信装置。
【請求項５】
請求項３および請求項４に記載の放送受信装置と、放送された番組や情報の内容を蓄積するデータベース作成手段と、外部と通信を行う通信制御部と、前述の各手段をコントロールするＣＰＵを備えたサーバーであって、前記放送受信装置からネットワークを経由して通知された受信不良個所情報を受信する受信不良個所情報受信手段と、受信した受信不良個所情報から受信不良個所の復旧するための受信不良個所復旧情報を作成する復旧情報作成手段と、受信不良個所復旧情報を前記放送受信装置に送信する復旧情報送信手段と、放送された各番組内容情報を管理するための番組記録情報と、それぞれの番組内容に番組記録情報を付加するための番組記録情報管理手段を備えることを特徴とするサーバーと、前記放送受信装置と前記サーバーとを接続するネットワークから構成されることを特徴とする放送受信装置および放送受信システム。
【請求項６】
請求項５記載のデータベース作成手段は、前記番組記録情報と前記番組記録情報管理手段から、使用済みあるいは未使用の蓄積番組情報格納領域に対して、新たな番組や情報の内容ならびに前記番組記録情報を格納することを特徴とする放送受信システム。
【請求項７】
前記受信不良個所情報作成手段は、補完する部分の候補を映像や文字を用いて画面に表示し、ユーザが実際に補完を行う部分を決定できることを特徴とする請求項４に記載のデジタル放送受信装置。
【請求項８】
放送信号を受信するステップと、受信した放送信号から番組情報を取得するステップと、受信した放送信号を記録するステップと、外部と通信を行うステップと、受信状態を判定するステップと、前述の各手段をコントロールするステップであって、前記受信判定手段により受信状態が悪いと判定された時に、番組内容の記録を開始した時刻・記録終了した時刻・前記受信手段により受信した番組識別番号・番組記録情報の情報を含む受信不良個所情報を作成するステップを有することを特徴とする放送受信方法。
【請求項９】
請求項８記載の受信判定ステップは、前記放送信号の受信ステップによりデジタル放送を受信した時に、デジタル放送の放送電波をトランスポート信号に変換する際に発生するデータ誤り量から放送電波受信状態を分析するステップをさらに有することを特徴とする請求項８に記載のデジタル放送受信方法。
【請求項１０】
前記受信不良個所情報を前記通信制御部を経由してサーバーへ通知する受信不良個所情報送信するステップをさらに有することを特徴とする請求項８あるいは請求項９に記載の放送受信方法。
【請求項１１】
前記受信不良個所情報の送信に対応してサーバーから返信される受信不良個所復旧情報を受信し、受信不良個所復旧情報を解釈して前記記憶の所定のアドレスへ受信不良個所復旧情報を記録する受信不良個所復旧のステップを有することを特徴とする請求項１０に記載の放送受信方法。
【請求項１２】
請求項１０および請求項１１に記載の放送受信方法と、放送された番組や情報の内容を蓄積するデータベース作成ステップと、外部と通信を行う通信制御部ステップ、前述の各手段をコントロールするＣＰＵを備えたサーバーであって、前記放送受信装置からネットワークを経由して通知された受信不良個所情報を受信する受信不良個所情報受信ステップと、受信した受信不良個所情報から受信不良個所の復旧するための受信不良個所復旧情報を作成する復旧情報作成ステップと、受信不良個所復旧情報を前記放送受信装置に送信する復旧情報送信ステップと、放送された各番組内容情報を管理するための番組記録情報と、それぞれの番組内容に番組記録情報を付加するための番組記録情報管理ステップを有することを特徴とするサーバーと、前記放送受信方法と前記サーバーとを接続するネットワークから構成されることを特徴とする放送受信方法および放送受信システム。
【請求項１３】
請求項１２記載のデータベース作成ステップは、前記番組記録情報と前記番組記録情報管理ステップから、使用済みあるいは未使用の蓄積番組情報格納領域に対して、新たな番組や情報の内容ならびに前記番組記録情報を格納することを特徴とする放送受信システム。
【請求項１４】
前記受信不良個所情報作成ステップは、補完する個所を自動的に決定するだけでなく補完する部分の候補を映像や文字を用いて画面に表示し、ユーザが実際に補完を行う部分を決定できることを特徴とする請求項１１に記載のデジタル放送受信方法。
【請求項１５】
放送信号を受信するステップと、受信した放送信号から番組情報を取得するステップと、受信した放送信号を記録するステップと、外部と通信を行うステップと、受信状態を判定するステップと、前述の各手段をコントロールするステップであって、前記受信判定手段により受信状態が悪いと判定された時に、番組内容の記録を開始した時刻・記録終了した時刻・前記受信手段により受信した番組識別番号・番組記録情報の情報を含む受信不良個所情報を作成するステップとを実行させるためのプログラムを記録した記録媒体。
【請求項１６】
請求項１５記載の受信判定ステップは、前記放送信号の受信ステップによりデジタル放送を受信した時に、デジタル放送の放送電波をトランスポート信号に変換する際に発生するデータ誤り量から放送電波受信状態を分析するステップをさらに実行することを特徴とする請求項１５に記載のプログラムを記録した記録媒体。
【請求項１７】
前記受信不良個所情報を前記通信制御部を経由してサーバーへ通知する受信不良個所情報送信するステップをさらに実行することを特徴とする請求項１５あるいは請求項１６に記載のプログラムを記録した記録媒体。
【請求項１８】
前記受信不良個所情報の送信に対応してサーバーから返信される受信不良個所復旧情報を受信し、受信不良個所復旧情報を解釈して前記記憶の所定のアドレスへ受信不良個所復旧情報を記録する受信不良個所復旧のステップを実行することを特徴とする請求項１７に記載のプログラムを記録した記録媒体。
【請求項１９】
請求項１７および請求項１８に記載の放送受信プログラムと、放送された番組や情報の内容を蓄積するデータベース作成ステップと、外部と通信を行う通信制御部ステップ、前述の各手段をコントロールするＣＰＵを備えたサーバーであって、前記放送受信装置からネットワークを経由して通知された受信不良個所情報を受信する受信不良個所情報受信ステップと、受信した受信不良個所情報から受信不良個所の復旧するための受信不良個所復旧情報を作成する復旧情報作成ステップと、受信不良個所復旧情報を前記放送受信装置に送信する復旧情報送信ステップと、放送された各番組内容情報を管理するための番組記録情報と、それぞれの番組内容に番組記録情報を付加するための番組記録情報管理ステップを有することを特徴とするサーバーと、前記放送受信方法と前記サーバーとを接続するネットワークから構成されることを特徴とするプログラムを記録した記録媒体および放送受信システム。
【請求項２０】
請求項１９記載のデータベース作成ステップは、前記番組記録情報と前記番組記録情報管理ステップから、使用済みあるいは未使用の蓄積番組情報格納領域に対して、新たな番組や情報の内容ならびに前記番組記録情報を格納することを特徴とする放送受信システム。
【請求項２１】
前記受信不良個所情報作成ステップは、補完する個所を自動的に決定するだけでなく補完する部分の候補を映像や文字を用いて画面に表示し、ユーザが実際に補完を行う部分を決定できることを特徴とする請求項１８に記載のプログラムを記録した記録媒体。
【請求項２２】
放送信号を受信する受信手段と、受信した放送信号から番組情報を取得する情報取得手段と、受信した放送信号を記録する記憶装置と、受信した放送信号を記録するための記録手段と、外部と通信を行う通信制御部と、受信状態を判定する受信判定手段と、前述の各手段をコントロールするＣＰＵとを備えた放送受信装置であって、前記受信判定手段により受信状態が悪いと判定された時に、番組内容の記録を開始した時刻・記録終了した時刻・前記受信手段により受信した番組識別番号・番組記録情報の情報を含む受信不良個所情報を作成する受信不良個所情報作成手段として機能させるためのプログラム。
【請求項２３】
前記受信判定手段は、前記受信手段によりデジタル放送を受信した時に、デジタル放送の放送電波をトランスポート信号に変換する際に発生するデータ誤り量から受信手段の放送電波受信状態を分析する受信判定手段として機能させるための請求項２２に記載のプログラム。
【請求項２４】
前記受信不良個所情報を前記通信制御部を経由してサーバーへ通知する受信不良個所情報送信手段としてさらに機能させるための請求項１あるいは請求項２３に記載のプログラム。
【請求項２５】
前記受信不良個所情報の送信に対応してサーバーから返信される受信不良個所復旧情報を受信し、受信不良個所復旧情報を解釈して前記記憶手段の所定のアドレスへ受信不良個所復旧情報を記録する受信不良個所復旧手段として機能させるための請求項２４に記載のプログラム。
【請求項２６】
請求項２４および請求項２５に記載のプログラムと、放送された番組や情報の内容を蓄積するデータベース作成手段と、外部と通信を行う通信制御部と、前述の各手段をコントロールするＣＰＵを備えたサーバーであって、前記放送受信装置からネットワークを経由して通知された受信不良個所情報を受信する受信不良個所情報受信手段と、受信した受信不良個所情報から受信不良個所の復旧するための受信不良個所復旧情報を作成する復旧情報作成手段と、受信不良個所復旧情報を前記放送受信装置に送信する復旧情報送信手段と、放送された各番組内容情報を管理するための番組記録情報と、それぞれの番組内容に番組記録情報を付加するための番組記録情報管理手段を備えることを特徴とするサーバーと、前記放送受信装置と前記サーバーとを接続するネットワークから構成されることを特徴とするプログラムおよび放送受信システム。
【請求項２７】
請求項２６記載のデータベース作成手段は、前記番組記録情報と前記番組記録情報管理手段から、使用済みあるいは未使用の蓄積番組情報格納領域に対して、新たな番組や情報の内容ならびに前記番組記録情報を格納することを特徴とする放送受信システム。
【請求項２８】
前記受信不良個所情報作成手段は、補完する部分の候補を映像や文字を用いて画面に表示し、ユーザが実際に補完を行う部分を決定できるように機能させるための請求項２５に記載のプログラム。
【発明の詳細な説明】
【０００１】
【発明の属する技術分野】
本発明は放送受信装置において放送番組の録画を行った際、放送電波の受信不良により録画した番組の一部または全部が受信できなかった場合に放送番組の欠落部分の一部分もしくは全部の内容を補う復旧情報をネットワークを経由して自動的に受信し、受信した復旧情報から放送番組の欠落部分を補う処理を行う放送受信装置および放送受信システムに関するものである。
【０００２】
【従来の技術】
放送電波を用いた番組放送においては、電波は降雨や障害物などを原因とする障害によって減衰を受けることがある。
【０００３】
そこで、デジタル放送信号の受信レベルの変化をユーザに知らせる処置を講じるデジタル放送受信装置の提案がなされている。このようなデジタル放送受信装置として、図１に示すデジタル放送受信装置がある（例えば特許文献１参照）。図１に示すデジタル放送受信装置を従来例１とする。
【０００４】
従来例１に示す受信機は、受信チャンネルのトランスポートパケットにおける誤りを誤り訂正部で検出し、その結果をエラー数カウント部で取得し、所定の期間における取得エラー数が多くなった時に受信状態が悪くなったと判断し、その時の受信状態（受信レベル）をＯＳＤ表示部で処理しモニタ画面か、放送受信装置に備えられた表示手段でエラー数に対応した表示形式でユーザに報知し受信状態の程度を知らせるものであり、受信不能のため装置からの出力がなくモニタが黒い画面だけになる状況になっても事前にユーザは受信状態を知ることにより受信レベルの悪化によるものと判断することができることを特徴としている。
【０００５】
具体的には従来例１に示す受信機においては、アンテナで衛星からのデジタル放送信号が受信され、アンテナで受信された放送信号は受信機のチューナ部に供給され、チューナ部では受信信号の中から所定のチャンネルの信号が選択され、その信号が復調回路に供給される。
【０００６】
この受信機において、放送信号の受信レベルは選局された受信信号の復調後のトランスポートストリームのエラーが検出・訂正される誤り訂正部でのエラー検出の頻度からそれを知ることができる。受信レベルが良好の時には、誤り訂正部でエラーが検出されないか、または訂正可能な程度のエラーである。受信レベルが悪くなると、誤り訂正部では訂正が不可能になる程のエラーが起きる。従って、この訂正部で検出されたエラーを受信レベルとして前記ＯＳＤ機能により画面上に表示することでユーザに受信状態を報知することができる。
【０００７】
また、降雨などによる受信状態の悪化に備えて、複数の変調方式を用いて通常の放送の他に降雨対応放送を併用して送信を行う、所謂階層化伝送方式も行われている。
【０００８】
また、ユーザに放送電波の受信状態悪化を伝える方法の異なる手法として、チューナを複数設け、必要に応じて画面上に各局の受信状況を一覧表にして表示するようにしたデジタル放送受信装置の例として、図２のデジタル放送受信装置の例がある（例えば特許文献２参照）。図２に示すデジタル放送受信装置を従来例２とする。
【０００９】
従来例２は、複数のチューナを有し、一のチューナで一のチャンネルを受信中に、他のチューナで他のチャンネルを順次受信し、該他のチューナで順次受信されたチャンネルの受信レベルを検出し、該検出された受信レベルをそれぞれメモリに記憶し、該メモリに記憶された各チャンネルの受信レベルを画面上に表示するようにしたデジタル放送受信装置を提案したものである。
【００１０】
また従来例２では、複数のチューナを有し、一のチューナで一のチャンネルを受信中に、他のチューナで他のチャンネルを順次受信し、該他のチューナで順次受信されたチャンネルの降雨対応放送の有無を検出し、該検出された降雨対応放送の有無をそれぞれメモリに記憶し、該メモリに記憶された各チャンネルの降雨対応放送の有無を画面上に表示しても良いとしている。
【００１１】
また、視聴予約を行った番組の放送中に降雨等を原因とする受信障害が発生した場合であっても、視聴予約を行った番組を正常に受信録画することを可能としたデジタル放送受信装置の例として、図３のデジタル放送受信装置の例がある（例えば特許文献３参照）。図３に示すデジタル放送受信装置を従来例３とする。
【００１２】
従来例３は、電子番組表上での視聴予約を行う装置において、視聴予約を行う番組を指定する手段と、指定された予約情報を保持する記憶手段と、視聴予約を行った番組を受信中に起きる受信障害が発生したことを検知する検出手段を有し、番組情報の中から受信中の番組より後の放送で同じ番組名の番組を詮索しそれを自動予約することを特徴としたデジタル放送受信装置を提案したものである。
【００１３】
この提案によれば、視聴予約を行った番組の受信中に障害が発生した場合であっても、同一の番組の再放送を検索し視聴予約を行うことにより、特別な操作をしなくても自動的に番組を受信し直して視聴または録画することが可能になり、降雨などを原因とする受信障害によって起こる番組の見逃し、録画の失敗を減らすことが可能となる。
【００１４】
【特許文献１】
特開２０００−１１５６５４号公報（第５項、第１図）
【特許文献２】
特開２００２−３２０１６５号公報（第４項、第１図）
【特許文献３】
特開２００１−３０９２８６号公報（第５項、第２図）
【００１５】
【発明が解決しようとする課題】
録画の対象となる番組の放送中に降雨等を原因とする受信不良が発生し放送内容の一部もしくは全部が受信できなくなるという問題が起きた場合に、例えば予約録画であった場合には視聴者は録画内容を再生して視聴するまで受信が正常に行われなかったという問題を知ることができない。
【００１６】
この場合少なくともメッセージ等で受信障害の発生があったことを視聴者に伝えることは可能であるが、視聴者は欠落した部分の放送内容を視聴することはできない。
【００１７】
また、通常録画および予約録画において受信不良が発生した場合には、繰り返し放送が行われている番組であれば受信不良によって放送内容の一部もしくは全部が受信できなかった場合であっても後日放送される同一番組の再放送を受信することで番組内容の再度の録画が可能となるが、ライブ放送などリアルタイム性に価値がある番組を録画した場合や、一度きりだけ行われる放送の場合や、再放送までの期間が長い場合には視聴者に不都合をきたすことがある。
【００１８】
本発明は上記のような状況を鑑み、録画を目的とした番組の放送受信中に受信不良が発生した場合に受信不良を検出し、受信不良の時間や間隔、欠落した番組内容を記す受信不良個所情報を作成し、受信不良個所情報をサーバーに送信して受信不良部分を復旧する番組内容の復旧情報を受信することで、録画中の受信不良で録画内容に受信不良部分が発生した場合でも全内容の視聴を可能とする放送受信装置および放送受信システムを提案するものである。
【００１９】
【課題を解決するための手段】
本発明で提案する放送受信装置および放送受信システムは、具体的には放送信号を受信する受信手段と、受信した放送信号から番組情報を取得する情報取得手段と、受信した放送信号を記録する記憶装置と、受信した放送信号を記録するための記録手段と、外部と通信を行う通信制御部と、受信状態を判定する受信判定手段と、前述の各手段をコントロールするＣＰＵとを備えた放送受信装置であって、前記受信判定手段により受信状態が悪いと判定された時に、番組内容の記録を開始した時刻・記録終了した時刻・前記受信手段により受信した番組識別番号・番組記録情報の情報を含む受信不良個所情報を作成する受信不良個所情報作成手段を備えることを特徴とする放送受信装置および放送受信システムである。
【００２０】
【発明の実施の形態】
（第１の実施形態）
本発明で提案する放送受信装置および放送受信システムの第１の実施形態を説明する。図４は本発明の第１の実施形態である放送受信装置４００の構成例を示している。
【００２１】
アンテナによって受信された放送電波は、受信手段４０１において指定するチャンネルの信号が抽出され映像・音声復調手段４０２において映像・音声信号に変換されテレビやビデオに出力される。
【００２２】
受信判定手段４１１は受信手段４０１において、アンテナからの放送電波入力を放送信号出力に変換する際の変換エラー発生割合の数値を参照することで放送電波の受信状態を監視するものであり、数値が一定のしきい値を超え受信状態が悪化したと判定した場合にはＣＰＵ４２１に対して受信状態悪化メッセージを送信する。
【００２３】
ＣＰＵ４２１は放送受信装置４００全体のシステムを管理するマイクロコンピュータであり、各手段およびメッセージの制御を行う。
【００２４】
情報取得手段４２２は現在受信中の番組の番組識別信号を取得するものである。記録手段４２３は受信手段４０１によって抽出された番組の放送信号もしくは映像・音声復調手段４０２において変換された映像・音声信号をＨＤＤ記憶装置４３２に保存する。
【００２５】
受信不良個所情報作成手段４２４は受信判定手段４１１が受信不良の発生を示すメッセージを発信した際に、受信不良の開始時刻と、情報取得手段４２２から得られる番組を特定する番組識別信号、番組の記憶先であるＨＤＤ記憶装置４３２内の領域情報、受信状態が回復した時刻の情報を含む受信不良個所情報を作成し、作成した受信不良個所情報を記憶領域であるＲＡＭ４３３に記録する。
【００２６】
受信不良個所復旧処理制御手段４２５はＲＡＭ４３３に記録された受信不良個所情報から復旧処理が必要であるかどうかを判定し、復旧処理が必要であると判定した場合には通信制御部４３４を経由してネットワーク４４１から復旧に必要な復旧情報を取得する。
【００２７】
ＦＬＡＳＨＲＯＭ４３１およびＨＤＤ記憶装置４３２およびＲＡＭ４３３はいずれも書き換えが可能な記憶媒体であり、必要に応じてデータの保存や消去が可能である。
【００２８】
通信制御部４３４は第１の実施形態である放送受信装置４００とネットワーク４４１との通信を行うものである。
【００２９】
次に、第１の実施形態である放送受信装置４００における予約録画時の録画処理手順を図５を用いて説明する。
【００３０】
第１の実施形態である放送受信装置４００においては、視聴者の録画指示によって、もしくはタイマー予約などの予約録画によって録画が開始される（Ｓ５１０）。
【００３１】
録画中は受信判定手段４１１において放送電波受信不良の発生を常時監視しており（Ｓ５２０）、もし降雨やその他の理由によって受信不良が発生した場合には受信不良個所情報作成手段４２４によって受信不良が発生した時間の記録（Ｓ５２１）および番組識別番号・番組記録情報の記録（Ｓ５２２）そして受信不良の終了時刻の記録（Ｓ５２３）が行われる。
【００３２】
これらの情報は受信不良個所情報としてＲＡＭ４３３上に記録される。なおＳ５２０による受信不良の監視は録画終了（Ｓ５３０）まで継続され、受信不良が発生するたびに受信不良個所情報の作成が行われる。
【００３３】
次に、視聴者の指示やタイマー設定等により録画が終了（Ｓ５３０）した後には、受信不良個所復旧処理制御手段４２５はＲＡＭ４３３に記録された受信不良個所情報の参照を行い復旧処理が必要かどうかを判定する。受信不良個所情報を参照した結果受信不良個所情報が存在し、録画時間内に一定の値以上の受信不良個所（例えば３秒以上の受信不良が１回以上）が発生した場合には、受信不良個所復旧処理制御手段４２５は通信制御部４３４を通じてネットワーク４４１に接続し（Ｓ５５１）ネットワーク４４１上に存在するサーバーに対して受信不良個所情報を送信し（Ｓ５５３）、復旧情報を要求する。要求に対してサーバーから送信される復旧情報はネットワーク４４１および通信制御部４３４を経由して受信され（Ｓ５５３）、ＨＤＤ記憶装置４３２に記録される（Ｓ５５４）。復旧情報のＨＤＤ記憶装置４３２におけるアドレスはＦＬＡＳＨＲＯＭ４３１に記録される。
【００３４】
保存された復旧情報は視聴者が録画した番組内容を視聴する際、受信不良によって発生した番組内容の受信不良部の映像・音声を補う情報として用いられる。このようにして得られた復旧情報を利用して録画時の受信不良部分を補うことで、視聴者は録画中に受信不良が発生していた場合であっても受信不良を意識することなく、録画した番組内容を視聴することが可能となる。
【００３５】
なお本実施例においては、受信不良が発生した場合に受信不良個所情報作成手段４２４によって受信不良が発生した時間の記録（Ｓ５２１）、番組識別番号・番組記録情報の記録（Ｓ５２２）、および受信不良の終了時刻の記録（Ｓ５２３）の結果をＲＡＭ４３３に保存し録画終了後に送信する例を示したが、これらの記録情報は受信不良発生時に受信不良が発声した時間の記録と番組識別番号・番組記録情報の記録を送信し、受信不良回復時に受信不良の終了時刻の記録を送信するというような手順をもって情報の発生ごとにサーバーに送信しても良い。
【００３６】
（第２の実施形態）
次に、本発明で提案する放送受信装置および放送受信システムの第２の実施形態を説明する。図６は本発明の第２の実施形態である放送受信システムの構成例を示している。
【００３７】
本放送受信システムは放送受信装置７００とサーバー８００と放送受信装置７００とサーバー８００とを接続するネットワーク６０４を備えることを特徴とする。
【００３８】
番組の送出を行う番組放送局６０１には、放送される番組内容６１０が多数保存されている。送出された放送電波はＢＳデジタル放送の場合放送衛星６０２を経由して放送視聴家庭６０３に備えられた放送受信装置７００に送られる。
【００３９】
デジタル放送受信装置７００は放送電波を受信するアンテナ受信手段とは別に、通信制御部によってネットワーク６０４に接続されている。
【００４０】
一方番組放送局６０１では、番組内容６１０を放送と同時もしくは放送の直後に番組内容４１０を多量に保存可能なサーバー８００内の記憶手段８０５に放送済み番組内容８１０として保存する。サーバーは放送受信装置７００と同じネットワーク６０４に接続されており、ネットワーク経由の要求に応じて放送済み番組内容８１０の参照を行うことが出来る。
【００４１】
次に放送受信装置７００を図７を用いて説明する。放送受信装置７００は、放送電波受信時にデータの受信誤りの発生割合から電波の受信不良を検出する受信判定手段７１１と、受信不良が発生した際に、受信不良の発生時刻と、終了時刻と、受信不良発生時に録画中の番組識別信号および番組情報から構成される受信不良個所情報を作成する受信不良個所情報作成手段７２４と、受信不良個所を復旧するための復旧情報をサーバー８００から受信し、ＨＤＤ記憶装置７３２上に復旧情報を記録し、受信不良個所の復旧を行う受信不良個所復旧処理制御手段７２５とを備えることを特徴とする。
【００４２】
受信装置７０１はアンテナから入力される信号を復調し選局されたチャンネルのトランスポートストリームを抽出する受信手段である。トランスポートストリームには映像・音声データに加え放送される番組の放送時刻や番組名を含む番組情報が含まれる。
【００４３】
トランスポートデコード手段７０２は上記複数の情報が重畳されたトランスポートストリームから映像や音声、番組情報などを取り出すものである。
【００４４】
取り出された情報は映像・音声デコード手段７０３において、映像・音声信号であればデジタル信号の復号化を行い、文字情報であれば表示可能な画像の生成を行い、テレビ画面表示部もしくはビデオ出力、およびスピーカ部に出力される。
【００４５】
受信判定手段７１１は、受信手段７０１が放送電波を受信し選局されたチャンネルのトランスポートストリームへの復号を行う過程で発生するエラーの数を番組受信エラーとしてカウントし、カウント結果から放送電波の受信不良の発生を検出するものである。受信状態が悪くなり受信不良状態となった場合には受信判定手段７１１はＣＰＵ７２１に対し受信不良の発生を示すメッセージを発信する。
【００４６】
ＣＰＵ７２１は本デジタル放送受信装置全体のシステムを管理するマイクロコンピュータであり、各手段・装置およびメッセージの制御を行う。
【００４７】
情報取得手段７２２はトランスポートデコード手段７０２によって取り出された番組情報を取得し番組の開始時刻や終了時刻、番組識別信号を取り出すものである。
【００４８】
記録手段７２３はトランスポートデコード手段７０２によって抽出された番組内容をＨＤＤ記憶装置７３２に保存する。
【００４９】
受信不良個所情報作成手段７２４は受信判定手段７１１が受信不良の発生を示すメッセージを発信した際に、受信不良の開始時刻と、情報取得手段７２２から得られる番組を特定する番組識別信号、番組の記憶先であるＨＤＤ記憶装置７３２内の領域情報、受信状態が回復した時刻の情報を含む受信不良個所情報を作成し、作成した受信不良個所情報を記憶領域であるＲＡＭ７３３に記録する。
【００５０】
受信不良個所復旧処理制御手段７２５はＲＡＭ７３３に記録された受信不良個所情報から復旧処理が必要であるかどうかを判定し、復旧処理が必要であると判定した場合には通信制御部７３４を経由してネットワーク６０４から復旧に必要な復旧情報を取得する。
【００５１】
ＦＬＡＳＨＲＯＭ７３１およびＨＤＤ記憶装置７３２およびＲＡＭ７３３はいずれも書き換えが可能な記憶媒体であり、必要に応じてデータの保存や消去が可能である。
【００５２】
通信制御部７３４は放送受信装置７００をネットワーク６０４に接続するものである。
【００５３】
次にサーバー８００を図８を用いて説明する。サーバー８００は、受信不良個所情報を受信する受信不良個所情報受信手段８０２と、受信した不良個所情報を分析し不良個所の復旧情報を作成する復旧情報作成手段８０４と作成した復旧情報を送信する復旧情報送信手段８０３を備えることを特徴とする。
【００５４】
ＣＰＵ８０１はサーバー８００全体のシステムを管理するマイクロコンピュータであり、各手段・装置およびメッセージの制御を行う。
【００５５】
受信不良個所情報受信手段８０２はネットワーク６０４から送信されてくる受信不良個所情報を通信制御部８０６を通じて受信するものである。
【００５６】
復旧情報作成手段８０４は受信不良個所情報の内容を分析し、記憶手段８０５に格納されている放送済み番組内容８１０を参照して復旧情報を作成するものである。
【００５７】
復旧情報送信手段８０４は復旧情報を通信制御部８０６を通じてネットワーク６０４に送信するものである。
【００５８】
データベース作成手段８１１は番組放送局６０１で放送が行われた番組内容６１０をネットワーク６０４および通信制御部８０６を通じて受信し、記憶手段８０５に放送済み番組内容８１０データベースとして保存するものである。
【００５９】
次に本発明の第２の実施形態における放送受信システムの処理手順を図９および図１１を用いて説明する。図９は本発明第２の実施例における放送受信システムの全体シーケンス第１例を示す図であり、図１１は本発明第２の実施例におけるサーバー側での放送番組録画方法を示す図である。
【００６０】
本実施形態に示す放送受信システムにおいて、例えば視聴者の録画指示もしくはタイマー予約などの予約録画指示により録画が開始された場合には、放送受信装置７００はＨＤＤ記憶装置７３２に番組内容６１０を録画する。その際放送受信装置７００はネットワーク６０４を通じてサーバー８００に録画開始を示す録画開始メッセージを通知する。
【００６１】
この録画中においては受信判定手段７１１において放送電波受信不良の発生を常時監視しており、もし降雨やその他の理由によって受信不良が発生した場合には、放送受信装置７００はサーバー８００に受信不良が発生したことを示す受信不良発生メッセージを通知したのち、受信不良個所情報作成手段７２４によって受信不良が発生した時間の記録および番組識別番号・番組記録情報の記録、そして受信不良の終了時刻の記録が行われる。
【００６２】
これらの情報は受信不良個所情報としてＲＡＭ７３３上に記録される。その後受信不良が回復した時点で放送受信装置７００はサーバー８００に受信不良回復メッセージを通知する。なお受信不良の監視は録画終了まで継続され、受信不良が発生するたびに受信不良個所情報の作成が行われる。
【００６３】
視聴者の指示やタイマー設定等により録画が終了した後には、受信不良個所復旧処理制御手段７２５はＲＡＭ７３３に記録された受信不良個所情報の参照を行い復旧処理が必要かどうかを判定する。受信不良個所情報を参照した結果受信不良個所情報が存在し、録画時間内に一定の値以上の受信不良個所（例えば３秒以上の受信不良が１回以上）が発生した場合には、受信不良個所復旧処理制御手段７２５は通信制御部７３４を通じてネットワーク６０４に接続し、ネットワーク６０４上に存在するサーバー８００に対して受信不良個所情報を送信し復旧情報を要求する。なお復旧処理を行わない場合には受信不良個所復旧処理制御手段７２５は復旧処理キャンセルメッセージを送信する。
【００６４】
一方、サーバー８００は受信不良個所情報受信手段８０２によって受信した不良個所情報を復旧情報作成手段８０３において内容を抽出し、放送視聴家庭６０３で発生した受信不良の発生時間や回復時間や受信不良が発生した時に録画を行っていた番組情報や番組識別番号の情報を得て、視聴家庭６０３で発生した受信不良部を復旧するための復旧情報を作成する。
【００６５】
サーバー８００では放送番組が放送されると同時に放送番組の内容をネットワーク６０４を通じて受信しサーバー８００内の記憶手段８０５に放送済み番組内容８１０として保存する。この放送済み番組内容８１０保存の際にサーバー８００に備えられた番組記録情報管理手段１１０３は番組の内容を管理するための放送済み番組内容記録情報１１０１を各放送済み番組内容８１０に付加した状態で保存する。この放送済み番組内容記録情報１１０１は、番組識別情報、放送中フラグ、受信不良フラグ、番組内容書き込み開始アドレス、番組内容書き込み終了アドレスの情報から構成される。
【００６６】
ここで、番組識別情報は番組内容を特定するための各放送済み番組内容固有の情報であり、放送中フラグは番組放送中にはＯＮであって番組終了時にＯＦＦとなるフラグであり、受信不良フラグ放送開始時にはＯＦＦであって放送受信装置から受信不良発生メッセージの通知を受けた場合にＯＮになるフラグである。例えばある放送済み番組内容の放送中にある放送受信装置で受信不良が発生した場合、放送受信装置からサーバーに対して受信不良発生メッセージが送信され、受信不良フラグがＯＮになる。番組内容書き込み開始アドレスは記憶手段８０５において当該番組内容情報が記録された領域の開始アドレスを示すものであり、番組内容書き込み終了アドレスは記憶手段８０５において当該番組内容情報が記録された領域の終了アドレスを示すものである。
【００６７】
なおサーバー８００はそれぞれの放送済み番組内容ごとに設けられる放送済み番組内容記録情報１１０１の付加および管理をおこなうための番組記録情報管理手段１１０３を有する。
【００６８】
サーバー８００に放送と同時に記憶手段８０５に保存される放送済み番組内容８１０は、放送終了時に放送済み番組記録情報１１０１の受信不良フラグがＯＮ、つまり少なくとも１つの放送受信装置で受信不良が発生した場合であれば、サーバー８００は受信不良が発生した放送受信装置から受信不良個所情報１１０２を受信する。受信不良個所情報１１０２は、放送受信装置識別情報、受信不良復旧開始アドレス、受信不良復旧終了アドレス、録画中番組識別情報、受信不良検出時間の情報から構成される。
【００６９】
ここで、放送受信装置識別情報は受信不良が発生した放送受信装置を特定するための各放送受信装置固有の情報であり、受信不良復旧開始アドレスは受信不良が発生した放送受信装置の記憶装置のアドレスであって受信不良発生部分の始点を特定するものであり、受信不良復旧終了アドレスは受信不良発生部分の終点を特定するものであり、録画中番組識別情報は受信不良発生時に録画中であった番組を特定する情報であり、受信不良検出時間は受信不良が継続した時間を示す情報である。
【００７０】
サーバー８００ではこの受信不良個所情報１１０２に示された受信不良部分の放送番組内容を番組放送と同時に記憶手段８０５に保存された放送済み番組内容８１０から呼び出して、放送受信装置で発生した受信不良個所を復旧するための受信不良個所復旧情報を作成する。受信不良個所復旧情報は通信制御部８０６からネットワーク６０４を経由して放送視聴家庭６０３の放送受信装置７００に送信され、放送受信装置７００の受信不良個所復旧処理手段７２５によって、通信制御部７３４を経由して受信され、ＨＤＤ記憶装置７３２に記録される。復旧情報のＨＤＤ記憶装置７３２におけるアドレスはＦＬＡＳＨＲＯＭ７３１に記録される。受信不良個所復旧情報が放送受信装置７００に正常に記録されると放送受信装置７００からサーバー８００に対し受信不良個所復旧完了メッセージが送信され、この時点でサーバー８００における当該番組の受信不良フラグはＯＦＦとなる。
【００７１】
なお、サーバー８００における記録手段８０５内に記録された放送済み番組内容８１０のうち、放送フラグがＯＦＦであり、かつ受信不良フラグがＯＦＦである放送済み番組内容８１０は消去可能な情報として扱われ、その放送済み番組内容が保存されている記憶領域は次の放送番組内容の保存のために利用される。
【００７２】
ここで図１２から図１６を用いてサーバー８００における放送済み番組内容の蓄積方法の一例を示す。図１２から図１６はサーバー８００における記憶手段８０５に放送済み番組内容８１０が保存される様子を示した一連の図である。
【００７３】
いま、ある時間にあるチャンネルにおいてＡという番組の放送が開始されたとする。番組放送局６０１から番組Ａの放送が開始されると同時に、サーバー８００はこの番組Ａの番組内容をネットワーク６０４を経由して受信し、記憶手段８０５に図１２のように放送済み番組内容８１０として保存する。放送済み番組内容８１０を保存する際には番組記録情報管理手段１１０３によって放送済み番組記録情報１１０１が付加される。
【００７４】
この放送済み番組記録情報１１０１のうち、番組識別情報は番組Ａを特定する情報を持ち、開始アドレスは記憶手段内における番組内容Ａの記録開始アドレス情報を持ち、終了アドレスは記憶手段内における番組内容Ａの記録終了アドレス情報を持つ。
【００７５】
図１２の状態においては番組Ａの放送中フラグはＯＮ、受信不良フラグはＯＦＦであり、番組Ａが放送中であって、かつ、この番組の録画を行っているどの受信機からも受信不良発生メッセージが送られてきていないことを示している。
【００７６】
図１３は番組Ａの放送が終了し、番組Ｂの放送が開始された様子を示した図である。また、この番組の録画を行っていた放送受信装置からサーバー８００に対して録画終了通知が発信され、サーバー８００によって録画終了通知が受信された後の状態を示した図である。
【００７７】
図１３の状態においては番組Ａの放送中フラグはＯＦＦ、受信不良フラグがＯＦＦであり、番組Ａは消去可能情報であることを示している。また、番組Ｂの放送中フラグはＯＮ、受信不良フラグがＯＮであり、番組Ｂの放送中に一台以上の放送受信装置で受信不良が発生したことを示している。
【００７８】
図１４は番組Ｂの放送が終了し、番組Ｃの放送が開始された様子を示した図である。また、この番組の録画を行っていた放送受信装置からサーバー８００に対して録画終了通知が発信されサーバー８００によって録画終了通知が受信された後、サーバー８００における復旧情報番組作成手段８０３において、番組Ｂに関する受信不良が発生した放送受信装置に対する復旧情報作成中の様子を示している。
【００７９】
図１４においては番組Ｂの放送中フラグはＯＦＦ、受信不良フラグがＯＮであり、番組Ｂについての放送済み番組記録情報の保存領域および番組内容Ｂの保存領域が保護された状態であることを示している。また、番組Ｃの放送中フラグはＯＮ、受信不良フラグがＯＦＦであり、番組Ｃが放送中であって、かつ、どの受信機からも受信不良発生メッセージが送られてきていないことを示している。
【００８０】
図１５は図１４と同様に番組Ｃの放送が行われている様子を示した図である。図１５はサーバー８００における復旧情報番組作成手段８０３において、番組Ｂに関する受信不良が発生した放送受信装置に対する復旧情報を図１４の状態から継続して作成中の様子を示している。図１５においては番組Ｂの放送中フラグはＯＦＦ、受信不良フラグがＯＮであり、番組Ｂについての放送済み番組記録情報の保存領域および番組内容Ｂの保存領域が保護された状態であることを示している。
【００８１】
また、番組Ｃの放送中フラグはＯＮ、受信不良フラグがＯＦＦであり、番組Ｃが放送中であって、かつ、どの受信機からも受信不良発生メッセージが送られてきていないことを示している。また、番組Ｃの番組内容の保存においては番組Ｂの領域が保護されているため番組Ｂが保存された領域を避け、未使用の領域に保存を行っている様子を示している。
【００８２】
図１６は番組Ｃの放送が終了し、番組Ｄの放送が開始された様子を示した図である。また図１６はサーバー８００における復旧情報番組作成手段８０３において、番組Ｂに関する受信不良が発生した放送受信装置に対する受信不良個所復旧情報の送信が完了し、該当放送受信装置からの復旧終了通知を受信した後の様子を示している。
【００８３】
なお、該当放送受信装置からの復旧終了通知受信は番組Ｄの放送開始以前に行われたものとする。図１６の状態においては番組Ｃの放送中フラグはＯＦＦ、受信不良フラグがＯＦＦであり、番組Ｃは消去可能情報であることを示している。
【００８４】
また、番組Ｄの放送中フラグはＯＮ、受信不良フラグがＯＦＦであり、番組Ｄが放送中であって、かつ、どの受信機からも受信不良発生メッセージが送られてきていないことを示している。
【００８５】
また、番組Ｂに関しては番組Ｄの放送開始以前に番組Ｂの放送中フラグがＯＦＦ、受信不良フラグがＯＦＦという状態になったことで番組Ｂが消去可能情報となったため、番組Ｄの番組内容は番組Ｂの番組内容が記録されていた領域に保存が行われている様子を示している。
【００８６】
以上の手順でサーバー８００から放送受信装置に送られた受信不良個所復旧情報は視聴者が録画した番組を視聴する際、受信不良によって発生した番組の受信不良部の映像・音声を補う情報として用いられる。このようにして受信不良が発生した場合にサーバー８００から復旧情報を送信して受信不良部分を補うことで、視聴者は録画中に受信不良が発生していた場合であっても受信不良を意識することなく、録画した番組の内容を視聴することが可能となる。
【００８７】
また、本実施例の放送受信システムにおいてはサーバー８００に番組記録情報管理手段１１０３を備え、放送済み番組内容８１０を記憶手段８０５に保存する際に放送済み番組記録情報１１０１を付加して保存することとした。放送済み番組記録情報１１０１には少なくとも放送中フラグと受信不良フラグが含まれており、これらのフラグを備えることにより、サーバー８００内の記憶手段８０５に保存される放送済み番組内容は受信不良が一件も発生しなかった場合には放送終了後に消去可能情報となるため、サーバー８００の記憶手段８０５の容量を削減し、記憶領域を有効に活用することが可能となる。
【００８８】
なお、本発明の第２の実施形態の放送受信システムにおいては、図９に示す本システムの全体シーケンス第１例は図１０に示す本システムの全体シーケンス第２例に従って動作を行うものであっても良い。この場合の本発明の第２の実施形態の放送受信システムは、番組の録画を行っている放送受信装置において番組録画中に受信不良が発生した際に、不良発生情報と不良発生個所情報を放送受信装置内に保存し、放送終了時にサーバー８００に録画終了を通知すると同時に受信不良発生の有無を情報として通知するものである。
【００８９】
また、サーバー８００は放送受信装置からの録画終了通知に加えて受信不良発生の有無の情報を受信した後に放送中フラグをＯＦＦにするものである。
【００９０】
なお、本発明の第２の実施形態の放送受信システムにおいては、番組放送局による放送終了時と放送受信装置による録画終了時が同一である例を示したが、図１０に示す本システムの全体シーケンス第２例に従えば録画終了時は必ずしも放送終了時と同一でなくても良く、番組の途中でユーザーの指示などによって録画終了した場合であってもサーバー８００に受信不良発生の有無を情報として通知することで受信不良フラグをＯＮにすることが可能となる。
【００９１】
なお、本発明の第２の実施形態の放送受信システムにおいては、図９に示す本システムの全体シーケンス第１例と図１０に示す本システムの全体シーケンス第２例のそれぞれに記された受信不良発生通知方法の両方を備え、番組放送中に受信不良が発生した場合に受信状態の不良発生を通知し、かつ、録画終了の通知後に受信不良発生の有無の情報を通知する放送受信システムであってもよい。
【００９２】
なお、本発明の第２の実施形態の放送受信システムにおいては、主に番組内容６１０が映像や音声の場合を例に挙げたが、この番組内容６１０は映像や音声に限らず、文字放送やデータ放送などの放送電波を経由して送信される他の内容であっても良い。
【００９３】
また、本発明の第２の実施形態においては放送衛星６０２を用いたデジタル放送の例を述べたが、本放送受信システムは地上波において放送されるデジタル放送受信システムであっても良い。
【００９４】
なお、本発明の第２の実施形態におけるネットワーク６０４はインターネットなどのような一般に開放されたネットワークではなく、１対１でサーバー８００と放送受信装置７００とが接続された状態となるような通信回線であっても良い。
【００９５】
なお、本発明の第２の実施形態においては放送視聴家庭６０３に設置された放送受信装置７００を例としたデジタル放送受信システムを述べたが、移動が可能な携帯型デジタル放送受信装置７００を含むデジタル放送受信システムであっても良い。
【００９６】
なお、本発明の第２の実施形態におけるＨＤＤ記憶手段７３２は半導体メモリやテープレコーダなどの大容量記録媒体であってもよい。
【００９７】
なお、本発明の第２の実施形態における通信制御部７２６は電気信号を用いた有線の回線に限らず、電波や光を用いた通信回線であっても良い。
【００９８】
なお、本発明の第２の実施形態におけるサーバー８００においては、記憶手段８０５に保存された放送済み番組内容８１０に付加された放送済み番組記録情報１１０１の中に少なくとも放送フラグと受信不良フラグ２つのフラグを持つことを特徴としているが、放送フラグは放送時間などの情報で代用することも可能であり情報受信不良発生フラグのみの１つのフラグを持つことを特徴とするサーバーであっても良い。
【００９９】
なお、本発明の第２の実施形態における放送済み番組記録情報１１０１はそれぞれ一つの番組内容書込開始アドレスと番組内容書込終了アドレスを有しているが、放送済み番組内容情報が記憶手段８０５内の連続した領域に保存されず複数のブロックに分かれた状態で保存された場合には、放送済み番組記録情報１１０１は複数の番組内容書込開始アドレスと番組内容書込終了アドレスを有することとなり各ブロックの開始アドレスと終了アドレスを示すものとなる。
【０１００】
なお、本発明の第２の実施形態における受信不良個所情報１１０２はそれぞれ一つの番組内容書込開始アドレスと番組内容書込終了アドレスを有しているが、放送受信装置７００において放送番組の録画処理がＨＤＤ記憶装置７３２の連続した領域に対して行われず複数のブロックに分かれた状態で保存された場合には、受信不良個所情報１１０２は複数の番組内容書込開始アドレスと番組内容書込終了アドレスを有することとなり各ブロックの開始アドレスと終了アドレスを示すものとなる。
【０１０１】
【発明の効果】
本発明によれば、録画を行った番組の受信中に受信不良が発生した場合であっても受信不良の発生を自動的に検出し、受信不良発生の時間や受信不良の影響を受けた番組内容を示す受信不良個所情報を作成し、作成した受信不良個所情報をネットワーク経由でサーバーに送信し、受信不良部分を復旧する復旧情報を取得することで、録画中の放送電波受信不良で録画内容に受信不良部分の影響なく全番組内容を視聴することが可能となる。
【図面の簡単な説明】
【図１】従来例１のデジタル放送受信装置の構成を示すブロック図
【図２】従来例２のデジタル放送受信装置の構成を示すブロック図
【図３】従来例３のデジタル放送受信装置の構成を示すブロック図
【図４】本発明の第１の実施形態における放送受信装置の構成を示すブロック図
【図５】本発明の第１の実施形態における処理の手順を示すフローチャート
【図６】本発明の第２の実施形態における放送受信システムを示す図
【図７】本発明の第２の実施形態における放送受信装置の構成を示すブロック図
【図８】本発明の第２の実施形態におけるサーバーの構成を示すブロック図
【図９】本発明の第２の実施形態におけるシステムの全体シーケンスを示す図
【図１０】本発明の第２の実施形態におけるシステムの全体シーケンスを示す図
【図１１】本発明の第２の実施形態におけるサーバー側での番組内容記録方法を示す図
【図１２】サーバーにおける放送済み番組内容蓄積方法を示す図
【図１３】サーバーにおける放送済み番組内容蓄積方法を示す図
【図１４】サーバーにおける放送済み番組内容蓄積方法を示す図
【図１５】サーバーにおける放送済み番組内容蓄積方法を示す図
【図１６】サーバーにおける放送済み番組内容蓄積方法を示す図
【符号の説明】
４００  第１の実施形態における放送受信装置
４０１  受信手段
４０２  映像・音声復調手段
４１１  受信判定手段
４２１  ＣＰＵ
４２２  情報取得手段
４２３  記録手段
４２４  受信不良個所情報作成手段
４２５  受信不良個所復旧処理制御手段
４３１  ＦＬＡＳＨＲＯＭ
４３２  ＨＤＤ記憶装置
４３３  ＲＡＭ
４３４  通信制御部
４４１  ネットワーク
６０１  番組放送局
６０２  放送衛星
６０３  放送受信家庭
６０４  ネットワーク
６１０  番組内容
７００  放送受信装置
７０１  受信手段
７０２  トランスポートデコード手段
７０３  映像・音声デコード手段
７１１  受信判定手段
７２１  ＣＰＵ
７２２  情報取得手段
７２３  記録手段
７２４  受信不良個所情報作成手段
７２５  受信不良個所復旧処理制御手段
７３１  ＦＬＡＳＨＲＯＭ
７３２  ＨＤＤ記憶装置
７３３  ＲＡＭ
７３４  通信制御部
８００  サーバー
８０１  ＣＰＵ
８０２  受信不良個所情報受信手段
８０３  復旧情報作成手段
８０４  復旧情報送信手段
８０５  記憶手段
８０６  通信制御部
８１０  放送済み番組内容
８１１  データベース作成手段
１１０１  放送済み番組記録情報
１１０２  受信不良個所情報
１１０３  番組記録情報管理手段
【図１】
2004274561.tif 000003
【図２】
2004274561.tif 000004
【図３】
2004274561.tif 000005
【図４】
2004274561.tif 000006
【図５】
2004274561.tif 000007
【図６】
2004274561.tif 000008
【図７】
2004274561.tif 000009
【図８】
2004274561.tif 000010
【図９】
2004274561.tif 000011
【図１０】
2004274561.tif 000012
【図１１】
2004274561.tif 000013
【図１２】
2004274561.tif 000014
【図１３】
2004274561.tif 000015
【図１４】
2004274561.tif 000016
【図１５】
2004274561.tif 000017
【図１６】
2004274561.tif 000018